(57)【要約】【課題】回収できるエネルギーが限定される【解決手段】本発明の電子機器は、二次電池からの電力で駆動され、駆動中に発熱するモジュールと、モジュールを内蔵する筺体と、モジュールに隣接して設けられ、モジュールと外気との間、モジュールと筺体との間、のうち少なくとも１つの温度差により発電する発電部と、発電部で発電された電力で二次電池を充電するとともにモジュールに電力を供給する電源制御部とを備える。【選択図】図１
2015119545.tif 000002
【特許請求の範囲】
【請求項１】
二次電池からの電力で駆動され、駆動中に発熱する第１モジュールと、
前記第１モジュールを内蔵する筺体と、
前記第１モジュールに隣接して設けられ、前記第１モジュールと外気との間、前記第１モジュールと前記筺体との間、のうち少なくとも１つの温度差により発電する発電部と、
前記発電部で発電された電力で前記二次電池を充電するとともに前記第１モジュールに電力を供給する電源制御部とを備える電子機器。
【請求項２】
請求項１に記載の電子機器において、
前記電子機器は、前記二次電池からの電力で駆動され駆動中に前記第１モジュールに比べて表面温度が低い第２モジュールをさらに備え、
前記第２モジュールは前記筺体に内蔵され、
前記発電部は、前記第１モジュールに隣接して設けられ、前記第１モジュールと外気との間、前記第１モジュールと前記第２モジュールとの間、前記第１モジュールと前記筺体との間、のうち少なくとも１つの温度差により発電し、
前記電源制御部は、前記発電部で発電された電力で前記二次電池を充電するとともに前記第１、第２モジュールに電力を供給する電子機器。
【請求項３】
請求項１または請求項２に記載の電子機器において、
前記第１モジュールを使用位置と収納位置との間で移動させる移動機構を前記筺体に設け、
前記発電部は、前記使用位置および前記収納位置において前記第１モジュールの熱で発電する第１熱電素子と、前記収納位置において前記第１モジュールの熱で発電する第２熱電素子とを含む電子機器。
【請求項４】
請求項３に記載の電子機器において、
前記第１モジュールがフラットパネルディスプレイ（以下、ＦＰＤ）であり、
前記第１熱電素子は前記ＦＰＤの筺体表面でかつ前記ＦＰＤの表示面の裏側に配置され、
前記第２熱電素子は前記収納位置にある前記ＦＰＤの表示面に対向する前記筺体の位置に配置される電子機器。
【請求項５】
請求項３または請求項４に記載の電子機器において、
前記第１モジュールがフラッシュ照明モジュールであり、
前記第１熱電素子は前記フラッシュ照明モジュールの発光面を除いた前記フラッシュ照明モジュールの表面に配置され、
前記第２熱電素子は前記収納位置にある前記発光面に対向する前記筺体の内部に配置される電子機器。
【請求項６】
請求項３乃至請求項５のいずれか１項に記載の電子機器において、
前記第１モジュールがプロジェクタモジュールであり、
前記第１熱電素子は前記使用位置にある前記プロジェクタモジュールの表面の一部に配置され、
前記第２熱電素子は前記収納位置にある前記プロジェクタモジュールと前記筺体の内壁面に接し、前記第１熱電素子とは異なる位置に配置される電子機器。
【請求項７】
請求項１または請求項２に記載の電子機器において、
前記第１モジュールが収納用蓋の開閉により取り外し可能な二次電池であり、
前記発電部は前記収納用蓋に配置される熱電素子である電子機器。
【請求項８】
機能設定のために筺体外部に露出して配置された回転操作部材と、
前記回転操作部材の回転により電力を生成する発電機とを備える電子機器。
【請求項９】
請求項８に記載の電子機器において、
発電モードと通常モードとを切り替えるモード設定ボタンと、
前記通常モードにおいては前記回転操作部材の回転により出力される信号を機能設定信号として扱い、前記発電モードにおいては前記回転操作部材の回転により出力される信号を無効信号として扱う制御部とをさらに備える電子機器。
【請求項１０】
請求項９に記載の電子機器において、
前記回転操作部材の回転軸が伸縮して２つの状態をとり、
前記回転操作部材が前記通常モード用の高さと前記発電モード用の高さをとることを特徴とする電子機器。
【請求項１１】
請求項８に記載の電子機器において、
レンズ鏡筒をさらに備え、
前記回転操作部材が前記レンズ鏡筒に設けられた距離環、絞り環、ズーム環のいずれかであることを特徴とする電子機器。
【発明の詳細な説明】
【技術分野】
【０００１】
本発明は、電子機器に関する。
【背景技術】
【０００２】
近年の電子機器は、表示画面の大型化や筺体の小型化の要求のために、二次電池の持続性が問題となっている。特許文献１には、液晶パネル内の熱を利用して発電し、液晶パネルの消費電力を削減する発明が開示されている。
【先行技術文献】
【特許文献】
【０００３】
【特許文献１】特開２００７−２１４４３５
【発明の概要】
【発明が解決しようとする課題】
【０００４】
しかし、回収できるエネルギーが限定されるという課題がある。
【課題を解決するための手段】
【０００５】
本発明の電子機器は、二次電池からの電力で駆動され、駆動中に発熱する第１モジュールと、第１モジュールを内蔵する筺体と、第１モジュールに隣接して設けられ、第１モジュールと外気との間、第１モジュールと筺体との間、のうち少なくとも１つの温度差により発電する発電部と、発電部で発電された電力で二次電池を充電するとともに第１モジュールに電力を供給する電源制御部とを備える。
【発明の効果】
【０００６】
本発明によれば、より多くの熱エネルギーを回収することができる。
【図面の簡単な説明】
【０００７】
【図１】デジタルカメラの電源部を除くブロック図
【図２】デジタルカメラの電源部のブロック図
【図３】熱電素子の配置場所を示す図
【図４】デジタルカメラのプロジェクタモジュール部を通る断面図
【図５】ダイヤルの変形を示す例
【発明を実施するための形態】
【０００８】
以下、図１〜図５を参照して、本発明における実施の形態を説明する。
図１は、本発明に係る電子機器の一例であるデジタルカメラ１の構成を例示するブロック図である。ただし、電源に関連するブロック図は後述する図２に示している。
【０００９】
以下、図１を説明する。ただし、中央に上下に伸びる長い矢印、およびそれに連なる短い矢印はデータバスを表している。デジタルカメラ１は、ダイヤル１０、ＣＰＵ１１、フラッシュ照明モジュール１２、ＲＡＭ１３、液晶モニタモジュール１４、プロジェクタモジュール１５、レンズ鏡筒１６、撮像素子１７、Ａ／Ｄ変換部１８、画像処理部１９、記録再生部２０、メモリーカード２１、不揮発性メモリ２２、発電機２３ａ〜２３ｂ、ワンウェイクラッチ２４ａ〜２４ｂ、熱電素子２５ａ〜２５ｄ、およびこれらを収める筺体４０を備える。
【００１０】
ダイヤル１０は、デジタルカメラ１の動作モードを設定する円盤状の部材であり、周方向に回転させる。左右どちらにも回転できる回数に制限は無い。ダイヤル１０が一定角度回転する度に動作モード変更信号がＣＰＵ１１に伝達され、デジタルカメラ１の動作モードが順次変更される。動作モードは例えば、シャッター優先撮影モード、夜景モード、マクロ撮影モード、撮影画像表示モード、などがあり、ＣＰＵ１１が動作モード変更信号を受信するたびにこれらのモードに順番に変更される。
【００１１】
ＣＰＵ１１は、不揮発性メモリ２２に格納されているプログラムを、ＲＡＭ１３に展開して実行し、データバスに接続されている各モジュールをはじめとしたデジタルカメラ１の構成部位、およびＣＰＵ１１に直接接続されているフラッシュ照明モジュール１２に動作指令を伝える。
【００１２】
フラッシュ照明モジュール１２は、デジタルカメラ１の内部に収納されており、ＣＰＵ１１から発光準備の指令を受けると、不図示のばねを組み合わせたポップアップ機構により使用位置であるデジタルカメラ１の上部に発光面がポップアップされる。そしてＣＰＵ１１から発光の指令により駆動し、被写体を照射するために発光する。また後述のとおり、フラッシュ照明モジュール１２にはシート状の熱電素子２５ｂが配置されている。
【００１３】
以下ではフラッシュ照明モジュール１２がデジタルカメラ１の内部に収納されている状態を収納位置にある状態とし、デジタルカメラ１の上部に発光面がポップアップされている状態を使用位置にある状態とする。また、被写体を照射するために発光することをフラッシュ照明モジュール１２の駆動とよぶ。
【００１４】
液晶モニタモジュール１４は、ＣＰＵ１１からの指令に基づき、画像処理部１９や記録再生部２０が有する画像データ、さらにＣＰＵ１１が処理した画像データを表示する。また液晶モニタモジュール１４は、不図示のヒンジ部を支点として様々な方向に回転・移動することができる。液晶モニタモジュール１４には、後述のとおりシート状の熱電素子２５ａが配置されている。
【００１５】
以下では液晶モニタモジュール１４の表示面を筺体４０に密着させている状態を収納位置にある状態とし、表示面を筺体４０から離した状態を使用位置にある状態とする。また、ＣＰＵ１１からの指令に基づき液晶モニタモジュール１４の表示面に何らかの画像データを表示することを液晶モニタモジュール１４の駆動とよぶ。
【００１６】
プロジェクタモジュール１５は、液晶モニタモジュール１４と同様に、ＣＰＵ１１からの指令に基づき、画像処理部１９や記録再生部２０が有する画像データ、もしくはＣＰＵ１１が処理した画像データを投射口から外部に投射する。デジタルカメラ１の起動直後にはプロジェクタモジュール１５は機能せず、不図示のボタンが押されたことがＣＰＵ１１に通知されると、ＣＰＵ１１がプロジェクタモジュール１５を起動させる。プロジェクタモジュール１５には、後述のとおりシート状の熱電素子２５ｃ１〜２５ｃ２が配置されている。以下ではプロジェクタモジュール１５がＣＰＵ１１からの指令に基づき、何らかの画像データを外部に投射することをプロジェクタモジュール１５の駆動とよぶ。
【００１７】
レンズ鏡筒１６は内部にレンズ群１６ａを有し、レンズ群１６ａが撮像素子１７の撮像面に被写体像を結像させる。撮像素子１７は、ＣＭＯＳイメージセンサなどによって構成され、撮像面上に結像された被写体像を撮像して撮像信号を出力する。撮像素子１７から出力された撮像信号は、Ａ／Ｄ変換部１８においてアナログ信号からデジタル信号に変換される。画像処理部１９は、ＣＰＵ１１からの指令に基づき、Ａ／Ｄ変換部１８が出力したデジタル画像信号に対して所定の画像処理を行う。
【００１８】
記録再生部２０は、ＣＰＵ１１からの指令に基づき、画像ファイルや動画ファイルをメモリーカード２１に記録、またはメモリーカード２１に記録されている画像ファイルや動画ファイルを読み出す。
【００１９】
発電機２３ａ〜２３ｂは、回転軸に加えられた力学的エネルギーを電気エネルギーに変換する。後述のように、熱電素子の出力とあわせて利用するため、ここでは直流発電機を用いる。ただし、発電機２３ａ〜２３ｂを交流発電機として、整流器と組み合わせてもよい。
【００２０】
ワンウェイクラッチ２４ａ〜２４ｂは、特定の方向へのみ回転力を伝達し、逆方向への回転力は伝達しない。たとえば、ダイヤル１０を交互に複数回、時計回転方向・反時計回転方向に回転させても、ワンウェイクラッチ２４ａ〜２４ｂの働きにより、発電機２３ａ〜２３ｂには一方向への回転力しか伝達されない。
【００２１】
なお、本実施の形態にあっては、このワンウェイクラッチ２４ａ〜２４ｂは必須の構成要件ではなく、このクラッチを必要とすることなく、発電機２３ａ〜２３ｂに両方向への回転力を伝達してもよい。
【００２２】
熱電素子２５ａ〜２５ｄは、シート状のペルチェ素子であり、当該熱電素子の両面の温度差に応じて起電力を生じさせる。ただし、熱電素子２５ａは２５ａ１〜２５ａ２の２つから構成され、熱電素子２５ｂは２５ｂ１〜２５ｂ５の５つから構成され、熱電素子２５ｃは２５ｃ１〜２５ｃ２の２つから構成され、熱電素子２５ｄは２５ｄ１〜２５ｄ２の２つから構成される。
【００２３】
次に、デジタルカメラ１の電源に関連するブロック図を示した図２を説明する。
デジタルカメラ１の電源部は、発電機２３ａ〜２３ｂ、熱電素子２５ａ〜２５ｄ、電圧制御部２６ａ〜２６ｆ、電源制御部２７、二次電池２８を備え、カメラシステム３０に電源を供給する。ただし、デジタルカメラ１には駆動に電源を必要とするモジュールおよび部品が複数あり、それらをまとめてカメラシステム３０としている。
【００２４】
発電機２３ａ〜２３ｂおよび、熱電素子２５ａ〜２５ｄは、前述のとおりである。
電圧制御部２６ａ〜２６ｆは、不図示の電圧計、昇圧回路、および回路接続用スイッチを有する。平時は１次側（発電機２３ａ〜２３ｂまたは熱電素子２５ａ〜２５ｄが接続される側）と２次側（電源制御部２７）とを前述のスイッチにより遮断しており、１次側の出力電圧が所定の電圧以上になった場合に、その出力電圧を二次電池２８を充電できる電圧まで昇圧して、２次側と接続する。
【００２５】
電源制御部２７は、二次電池２８の充電状態を常に監視しており、発電機２３ａ〜２３ｂおよび熱電素子２５ａ〜２５ｄの出力により二次電池２８を充電する。ただし、二次電池２８が満充電状態にあると判断した場合は、発電機２３ａ〜２３ｂおよび熱電素子２５ａ〜２５ｄの出力を直接、カメラシステム３０に供給する。
【００２６】
二次電池２８は、放電により電源制御部２７を介してカメラシステム３０へ電力を供給し、カメラシステム３０を駆動させる。また、二次電池２８はデジタルカメラ１の筺体４０から取り出すことができ、取り出し後に不図示の充電器によって充電することができる。さらに、デジタルカメラ１に収納した状態であっても、発電機２３ａ〜２３ｂ、もしくは熱電素子２５ａ〜２５ｄにより充電することができる。この放電、および充電には発熱が伴い、以下では二次電池２８の放電、および充電を二次電池２８の駆動と呼ぶ。なお二次電池２８の収納用蓋には、後述のとおり熱電素子２５ｄが配置されている。
【００２７】
次に、熱電素子２５ａ〜２５ｄのデジタルカメラ１への配置場所、および熱電素子２５ａ〜２５ｄが発電に利用する温度差を説明する。
【００２８】
図３は、可動式の液晶モニタモジュール１４を大きく開き、フラッシュ照明モジュール１２がポップアップした状態の、デジタルカメラ１の外観を表しており、図３（ａ）は正面図、図３（ｂ）は平面図、図３（ｃ）は背面図である。いずれの図においても、熱電素子２５ａ〜２５ｄの配置場所は斜線のハッチングで表しているが、不可視部にある熱電素子２５ｂ、および熱電素子２５ｄのみ点のハッチングにより表している。
【００２９】
熱電素子２５ａ１は、液晶モニタモジュール１４の筺体表面でかつ液晶モニタモジュール１４表示面の裏側に配置されており、点灯中および点灯後に液晶モニタモジュール１４の熱を利用して、外気との温度差により発電する。一方、熱電素子２５ａ２は、可動式である液晶モニタモジュール１４の収納時に液晶モニタモジュール１４の表示面に対向する位置に配置されている。そして熱電素子２５ａ２は、点灯後の液晶モニタモジュール１４の表示面と、熱電素子２５ａ２を配置しているデジタルカメラ１の筺体４０、およびデジタルカメラ１の内部の部品であって液晶モニタモジュール１４よりも表面温度が低い部品との温度差により発電する。
【００３０】
熱電素子２５ｂ１〜２５ｂ４は、フラッシュ照明モジュール１２の上面、左側面、後側面、右側面にそれぞれ配置されている。熱電素子２５ｂ１は、フラッシュ照明モジュール１２の発光による熱を利用して、外気との温度差により発電する。熱電素子２５ｂ２〜２５ｂ４は、フラッシュ照明モジュール１２の発光による熱を利用して、ポップアップ状態では外気との温度差により、収納状態ではデジタルカメラ１の内部の部品であってフラッシュ照明モジュール１２よりも表面温度が低い部品との温度差により発電する。フラッシュ照明モジュール１２の後側面に配置された熱電素子２５ｂ３は、平面図である図３（ｂ）および背面図である図３（ｃ）では直接視認できるので斜線のハッチングで示した。正面図である図３（ａ）では、フラッシュ照明モジュール１２の背面にある熱電素子２５ｂ３は不可視であるため点のハッチングにより表されている。
【００３１】
また、熱電素子２５ｂ５は、フラッシュ照明モジュール１２が収納状態（非ポップアップ状態）にある時にフラッシュ照明モジュール１２の発光面に接するように、筺体４０の内部に配置されている。そのため、いずれの図においても直接視認できないので点のハッチングにより表されている。熱電素子２５ｂ５は、フラッシュ照明モジュール１２の発光による熱を利用して、およびデジタルカメラ１の内部の部品であってフラッシュ照明モジュール１２よりも表面温度が低い部品との温度差により発電する。
【００３２】
図４は図３（ｂ）のＩＶ−ＩＶ線断面図であり、プロジェクタモジュール１５を通るデジタルカメラ１の、プロジェクタモジュール１５が収納位置にある場合と使用位置にある場合の断面を表している。プロジェクタモジュール１５は、デジタルカメラ１の筺体４０の内側に固定された固定部１５ａと、図の上下方向に走る不図示の回転軸を中心に回転可能な回転部１５ｂの２部材から構成される。また、回転部１５ｂ内の光源部１５ｃにより、プロジェクタモジュール１５の光源部１５ｃ付近は駆動時に高温になる。
【００３３】
図４（ａ）に示す収納時においては、プロジェクタモジュール１５の投射口のみがデジタルカメラ１の筺体４０の外部に露出している。これに対して図４（ｂ）に示す使用位置においては、回転部１５ｂが収納位置から１８０度回転して回転部１５ｂの光源部１５ｃも筺体４０の外部に露出している。これにより光源部１５ｃの熱が外気に放熱されやすくなる。
【００３４】
図４（ａ）に示すプロジェクタモジュール１５が収納位置にある場合は、光源部１５ｃの周囲を熱電素子２５ｃ１および熱電素子２５ｃ２が取り囲んでいる。そしていずれの熱電素子もプロジェクタモジュール１５が収納位置にある場合は、光源部１５ｃにより高温になったプロジェクタモジュール１５と、デジタルカメラ１の筺体４０またはおよびデジタルカメラ１の内部の部品であってプロジェクタモジュール１５よりも表面温度が低い部品との温度差により発電する。
【００３５】
また、光源部１５ｃはプロジェクタモジュール１５の使用時に高温となるため、図４（ｂ）に示すプロジェクタモジュール１５が使用位置にある場合は、光源部１５ｃの放熱のために光源部１５ｃを外気に露出させることが必要となる。そのため熱電素子２５ｃ１は、外気に露出している回転部１５ｂの一部のみを覆う位置に配置される。この熱電素子２５ｃ１はプロジェクタモジュール１５が使用位置にある場合は、光源部１５ｃにより高温となったプロジェクタモジュール１５と外気との温度差により発電する。
【００３６】
また、熱電素子２５ｃ２はデジタルカメラ１の筺体４０に配置されており、プロジェクタモジュール１５とデジタルカメラ１の筺体４０の内壁面とに接しているため、プロジェクタモジュール１５が収納位置にある場合にのみ発電する。
【００３７】
図３に戻って説明を続ける。
二次電池２８はデジタルカメラ１の筺体４０に収納されており、収納状態にある二次電池２８の周囲に熱電素子２５ｄ２が、開閉式である二次電池２８の収納用蓋には熱電素子２５ｄ１が、配置されている。正面図である図３（ａ）および背面図である図３（ｃ）のいずれにおいても、筺体４０の内部にある熱電素子２５ｄ２は不可視であるため、熱電素子２５ｄ２は点のハッチングにより表されている。前述のとおり二次電池２８は放電および充電に発熱を伴い、熱電素子２５ｄ１は二次電池２８と外気との温度差により、熱電素子２５ｄ２は二次電池２８とデジタルカメラ１の内部の部品であって二次電池２８よりも表面温度が低い部品との温度差により発電する。
【００３８】
次に、発電機２３ａ〜２３ｂが発電に使用するエネルギーを図１に戻って説明する。
ダイヤル１０は、デジタルカメラ１のモード設定および発電に使用される。ダイヤル１０がユーザにより回転されると、ＣＰＵ１１にその回転の情報が伝達されるだけでなく、発電機２３ａに回転のエネルギーがワンウェイクラッチ２４ａを介して伝達される。ワンウェイクラッチ２４ａは特定の回転方向のみの力を伝達するため、発電機２３ａは特定の方向にのみ回転し特定の方向へ流れる直流電力を発電する。ワンウェイクラッチ２４ａを介さない場合は、ダイヤル１０の回転方向により発電した電力の電位が正負逆になることがあるため相殺される恐れがある。
【００３９】
レンズ鏡筒１６には、デジタルカメラ１の距離環、絞り環、ズーム環が設けられている。これら操作環のいずれか１つが回転し、対応するフォーカス、絞り、ズームのいずれか１つが調整される。また、レンズ鏡筒１６の各操作環の回転力がワンウェイクラッチ２４ｂを介して発電機２３ｂに伝達される。ワンウェイクラッチ２４ｂは特定の回転方向のみの力を伝達するため、発電機２３ｂは特定の方向にのみ回転し特定の方向へ流れる直流電力を発電する。
【００４０】
次に、図２を用いて電圧制御部２６ａ〜２６ｆの動作を説明する。
図２に示すように、発電機２３ａ〜２３ｂおよび熱電素子２５ａ〜２５ｄは電源制御部２７に対して並列に接続されているため、発電していない場合は電力を消費しないように回路から切り離す必要がある。したがって、電圧制御部２６ａ〜２６ｆは、平時は１次側と２次側とを遮断しており、１次側の出力電圧が所定の電圧以上になった場合に、その出力電圧を二次電池２８を充電できる電圧まで昇圧して、２次側と接続する。
【００４１】
以上説明した本実施の形態によれば、次の作用効果を奏する。
（１）二次電池２８からの電力で駆動され、駆動中に発熱するモジュールと、モジュールを内蔵する筺体４０と、モジュールに隣接して設けられ、モジュールと外気との間、モジュールと筺体４０との間、のうち少なくとも１つの温度差により発電する熱電素子２５ａ〜２５ｄと、熱電素子２５ａ〜２５ｄで発電された電力で二次電池２８を充電するとともに、モジュールに電力を供給する電源制御部２７とを備える。
【００４２】
そのため、モジュールが駆動することにより生じる熱を高温熱源とし、外気および筺体４０を低温熱源として発電することができ、より多くの熱エネルギーを回収することができる。
【００４３】
（２）デジタルカメラ１は、二次電池２８からの電力で駆動され駆動中にモジュールに比べて表面温度が低いデジタルカメラ１内部の部品をさらに備え、駆動中にモジュールに比べて表面温度が低いデジタルカメラ１内部の部品は筺体４０に内蔵され、熱電素子２５ａ〜２５ｄは、モジュールと外気との間、駆動中にモジュールに比べて表面温度が低いデジタルカメラ１内部の部品とモジュールとの間、モジュールと筺体４０との間、のうち少なくとも１つの温度差により発電し、電源制御部２７は、熱電素子２５ａ〜２５ｄで発電された電力で二次電池２８を充電するとともに、モジュール、および駆動中にモジュールに比べて表面温度が低いデジタルカメラ１内部の部品に電力を供給する。
【００４４】
そのため、モジュールが駆動することにより生じる熱を高温熱源とし、外気および筺体４０だけでなく、駆動中にモジュールに比べて表面温度が低いデジタルカメラ１内部の部品も低温熱源として発電することができ、より多くの熱エネルギーを回収することができる。
【００４５】
（３）液晶モニタ、フラッシュ照明、プロジェクタの各モジュールを使用位置と収納位置との間で移動させる移動機構を筺体４０に設け、熱電素子２５ａ〜２５ｃは、使用位置および収納位置において各モジュールの熱で発電する熱電素子２５ａ１、２５ｂ１〜２５ｂ４、２５ｃ１と、収納位置に位置する各モジュールの熱で発電する熱電素子２５ａ〜２５ｃとを含む。
【００４６】
そのため、駆動中の使用位置にいるモジュールだけでなく、駆動が終了して停止位置にいるモジュールに残存している熱のエネルギーも回収することができる。
【００４７】
（４）液晶モニタモジュール１４においては、熱電素子２５ａ１は液晶モニタモジュール１４の筺体表面でかつ液晶モニタモジュール１４の表示面の裏側に配置され、熱電素子２５ａ２は収納位置にある液晶モニタモジュール１４の表示面に対向する筺体４０の位置に配置される。
【００４８】
そのため、液晶モニタモジュール１４の点灯中に熱電素子２５ａ１により発電するだけでなく、液晶モニタモジュール１４の消灯後に収納位置に移動させた際に、液晶モニタモジュール１４の表示面から発せられる熱を利用して熱電素子２５ａ２により発電することができる。また、液晶モニタモジュール１４はデジタルカメラ１の起動直後から終了時まで点灯する機会が多く、フラッシュ照明モジュール１２やプロジェクタモジュール１５よりも累積の発熱量が多いと考えられるため、熱電素子２５ａ１および２５ａ２による発電は有用である。
【００４９】
（５）フラッシュ照明モジュール１２においては、熱電素子２５ｂ１〜２５ｂ４はフラッシュ照明モジュール１２の発光面を除いたフラッシュ照明モジュール１２の表面に配置され、熱電素子２５ｂ５は収納位置にある発光面に対向する筺体４０の内部に配置される。
【００５０】
そのため、フラッシュ照明モジュール１２は発光の際に発熱するが、熱電素子２５ｂ１〜２５ｂ４による発電により発熱分のエネルギーの一部を回収することができる。さらに、フラッシュ照明モジュール１２を収納した際に発光面から発せられる熱エネルギーの一部を、熱電素子２５ｂ５による発電により回収することができる。
【００５１】
（６）プロジェクタモジュール１５においては、熱電素子２５ｃ１は使用位置にあるプロジェクタモジュール１５の表面の一部に配置され、熱電素子２５ｃ２は収納位置にあるプロジェクタモジュール１５と筺体４０の内壁面に接し、熱電素子２５ｃ１とは異なる位置に配置される。
【００５２】
そのため、プロジェクタモジュール１５の使用時に連続的に光源から発せられる熱のエネルギーを熱電素子２５ｃ１〜２５ｃ２による発電によって回収することができる。また、プロジェクタモジュール１５を収納した際に光源部ら発せられる熱エネルギーの一部を、熱電素子２５ｃ２による発電により回収することができる。
【００５３】
（７）二次電池２８の開閉式収納用蓋に熱電素子２５ｄ１が、二次電池２８の収納位置の周囲に熱電素子２５ｄ２が配置されている。
そのため、デジタルカメラ１の起動中は二次電池２８は放電を続け、放電にともなう発熱が生じるが、熱電素子２５ｄ１〜２５ｄ２による発電により発熱分のエネルギーの一部を回収することができる。
【００５４】
（８）機能設定のために筺体４０の外部に露出して配置された、ダイヤル１０およびレンズ鏡筒１６に設けられた距離環、絞り環、ズーム環のいずれかの操作環である、回転操作部材と、回転操作部材の回転により電力を生成する発電機２３ａ〜２３ｂとを備える。
そのため、ユーザがダイヤル１０やレンズ鏡筒１６に設けられた操作環を回転させて撮影準備をするなど、デジタルカメラ１の通常の使用をしているだけで、特に意識をすることなく発電をすることができる。
【００５５】
（変形例１）
上述した実施の形態においては、熱電素子２５ａ〜２５ｄと発電機２３ａ〜２３ｂの全てを備えたデジタルカメラ１を示したが、熱電素子２５ａ〜２５ｄと発電機２３ａ〜２３ｂのうちいずれか１方のみを備えてもよい。また、いずれかの熱電素子、またはいずれかの発電機のみを備える構成としてもよい。
【００５６】
（変形例２）
上述した実施の形態においては、電子機器としてデジタルカメラ１を例に用いたが、本発明はこれに限定されない。デジタルビデオカメラや携帯電話、さらにはタブレット端末などに本発明を用いてもよい。様々な機器にフラットパネルディスプレイや機能調整用のダイヤルが搭載されるだけでなく、近年は機器の多機能化により、カメラ機能やプロジェクタモジュールも含んだ電子機器が知られている。
【００５７】
（変形例３）
上述した実施の形態においては、フラットパネルディスプレイとして液晶モニタモジュール１４を例に用いたが、本発明はこれに限定されない。有機ＥＬディスプレイやプラズマディスプレイなど、文字や映像を表示できる他のディスプレイを用いてもよい。また、液晶モニタモジュール１４が二次電池および無線通信ユニットを内蔵してデジタルカメラ１から着脱可能としてもよい。液晶モニタモジュール１４がデジタルカメラ１から分離している場合は、液晶モニタモジュール１４はＣＰＵ１１からの指令および表示する画像データを無線通信により受信する。
この変形例３によれば、表示するデータの特性や電子機器の特性にあわせて選択した、多様なディスプレイを本発明に用いることができる。
【００５８】
（変形例４）
上述した実施の形態においては、発電機２３ａ〜２３ｂの回転方向を一定にするためにワンウェイクラッチ２４ａ〜２４ｂを用いたが、ワンウェイクラッチ２４ａ〜２４ｂを廃して電圧制御部２６ａ〜２６ｆにて発電した電力の電流の向きを検出し、電圧制御部２６ａ〜２６ｆにて２次側の回路へ流れる電流の向きが一定になるように制御してもよい。
この変形例４によれば、ワンウェイクラッチ２４ａ〜２４ｂが不要になるため、当該部品のコストおよび設置場所が不要になるため、本発明を適用したデジタルカメラ１を安価でかつ小型に製作することができる。なお、先述のとおり上述した実施の形態においても、ワンウェイクラッチ２４ａ〜２４ｂを用いることは必須要件ではない。
【００５９】
（変形例５）
上述した実施の形態においては、発電機２３ａ〜２３ｂおよび熱電素子２５ａ〜２５ｄを並列に接続したが、電圧制御部２６ａ〜２６ｆが連携して所定の電圧以上の出力がある発電機２３ａ〜２３ｂおよび熱電素子２５ａ〜２５ｄを直列に接続してもよい。
【００６０】
（変形例６）
上述した実施の形態においては、ダイヤル１０およびレンズ鏡筒１６に設けられた距離環、絞り環、ズーム環のいずれかの操作環は通常の使用状態のままで発電をしたが、通常モードと発電モードを切り替える、ＣＰＵ１１に接続されるモード切り替えボタンを新たに設けてもよい。そして発電モードにおいては、ワンウェイクラッチ２４ａ〜２４ｂを介さずに発電機２３ａ〜２３ｂを回転させてもよい。またＣＰＵ１１は、通常モードにおいてはダイヤル１０が一定角度回転する度に出力される動作モード変更信号に応じてデジタルカメラ１の動作モードを変更するが、発電モードにおいてはこの動作モード変更信号を無効な信号として扱い動作モードを変更しなくてもよい。
【００６１】
さらに、図５（ａ）に示すようにダイヤル１０の回転軸を軸方向に伸縮可能とし、ダイヤル１０を通常モード用の高さと発電用の高さに変更可能としてもよい。回転軸の伸縮は通常モード用１つと発電モード用１つの２状態のみとしてもよいし、発電モード用はユーザが任意に選択できるように複数段階を設けてもよい。ダイヤル１０の高さを高くするとダイヤル１０を指で保持する際に接触する面積が増え、保持が容易になるという利点がある。
【００６２】
また、図５（ｂ）に示すようにダイヤル１０の内部にハンドル部を折りたたむ構成とし、通常モードではハンドル部を折りたたみ、発電モードはハンドル部を展開してもよい。ハンドル部を展開することにより、指での保持が容易になるという利点がある。なお、図５における点線部は、変形前のダイヤル１０を示している。また、図５においてはフラッシュ照明モジュール１２は収納状態にあり、液晶モニタモジュール１４は収納状態である。
【００６３】
なお、ダイヤル１０に上述したダイヤル１０の高さを高くする変形、およびダイヤル１０のハンドル部を展開する変形をさせたことをもって、通常モードから発電モードへと切り替えてもよい。さらに、ダイヤル１０の変形をもとに戻したことをもって、発電モードから通常モードへと切り替えてもよい。
【００６４】
この変形例６によれば、以下の作用効果を奏する。
（１）発電モードと通常モードとを切り替えるモード設定ボタンと、通常モードにおいてはダイヤル１０の回転により出力される信号を動作モード変更信号として扱い、発電モードにおいてはダイヤル１０の回転により出力される信号を無効信号として扱う制御部とを備える。
そのため、ダイヤルによる発電時に撮影モードが切り替わることがないため、撮影モード変更に伴うデジタルカメラ１の内部処理によるエネルギー消費を削減できる。
【００６５】
（２）ダイヤル１０の回転軸が伸縮して２つの状態をとり、ダイヤル１０が通常モード用の高さと発電モード用の高さをとる。
そのため、通常モードではコンパクトでありながら発電モードではダイヤルが高くなり保持する指との接触面積を増加させることにより、指でのダイヤル１０の保持、および回転が容易になる。
【００６６】
（３）発電モードにおいては、ワンウェイクラッチ２４ａ〜２４ｂを介さずに発電機２３ａ〜２３ｂを回転させることができる。
そのため、ワンウェイクラッチ２４ａ〜２４ｂによるエネルギー損失が削減されることにより発電の効率が向上する。さらに、ワンウェイクラッチ２４ａ〜２４ｂのコストおよび設置場所が不要になるため、本発明を適用したデジタルカメラ１を安価でかつ小型に製作することができる。
【００６７】
（変形例７）
上述した実施の形態においては、熱電素子２５ａ〜２５ｄの低温熱源は大気もしくはデジタルカメラ１の部品であったが、これに限定されない。例えばデジタルカメラ１を収納するカメラケースを低温熱源としてもよい。この場合、デジタルカメラ１のカメラケースと接触する箇所（例えばグリップ部分やカメラ全体）に熱電素子２５ａ〜２５ｄを配置し、カメラケースのデジタルカメラ１と接触する箇所に吸熱用ゲルや、さらに放熱板を設置してもよい。
変形例７によれば、使用によりデジタルカメラ１に生じた熱を用いて、デジタルカメラ１の使用後に発電をすることができる。
【００６８】
上述した各実施の形態および変形例は、それぞれ組み合わせてもよい。
さらに、本発明の特徴的な機能を損なわない限り、本発明は、上述した実施の形態における機器構成に何ら限定されない。
【符号の説明】
【００６９】
１…デジタルカメラ、１０…ダイヤル、１２…フラッシュ照明モジュール、１４…液晶モニタモジュール、１５…プロジェクタモジュール、１６…レンズ鏡筒、１７…撮像素子、１８…Ａ／Ｄ変換部、１９…画像処理部、２０…記録再生部、２１…メモリーカード、２２…不揮発性メモリ、２３ａ〜２３ｂ…発電機、２４ａ〜２４ｂ…ワンウェイクラッチ、２５ａ〜２５ｄ…熱電素子、２６ａ〜２６ｆ…電圧制御部、２７…電源制御部、２８…二次電池、３０…カメラシステム
【図１】
2015119545.tif 000003
【図２】
2015119545.tif 000004
【図３】
2015119545.tif 000005
【図４】
2015119545.tif 000006
【図５】
2015119545.tif 000007